(57)【要約】  本明細書において、真空掃除機（２）が開示される。真空掃除機は、ハンドユニット（１４）と、ノズル端部（６）及びハンドル端部（８）を有する細長部材（４）とを備える。真空掃除機は、ノズル端部（６）に配置された弁（２０）を備え、弁（２０）は、第１の位置と第２の位置との間で移動可能である弁部材（４０）を備える。第１の位置において、弁部材（４０）は、床ノズル（１０）からハンドユニット（１４）に空気流を導き、同時に、空気流がハンドル端部（８）を通って流れることを阻止する。第２の位置において、弁部材（４０）は、床ノズル（１０）から、ハンドル端部（８）及びハンドユニット（１４）に空気流を導く。よって、真空掃除は、ハンドユニットがノズル端部に接続されているとき、及び、ハンドユニットがハンドル端部に接続されているときのどちらのときも、それぞれ、床ノズルによって実行することができる。
2021505221.tif 000002
【特許請求の範囲】
【請求項１】
真空掃除機であって、
ノズル端部及びハンドル端部を有する細長部材と、
前記ノズル端部に配置された床ノズルと、
前記ハンドル端部に配置されたハンドルと、
前記ノズル端部及び前記ハンドル端部に取り外し可能に接続可能なハンドユニットと
を備え、
前記ハンドユニットが、
前記真空掃除機の少なくとも第１の部分を通る空気流を発生させるためのモータファンユニットと、
前記空気流から塵及び屑を分離するための主分離ユニットと
を備え、
前記真空掃除機の前記第１の部分が前記床ノズルを備える、
真空掃除機において、
前記真空掃除機が、前記ノズル端部に配置された弁を備え、
前記弁が、第１の位置と第２の位置との間で移動可能である弁部材を備え、
前記第１の位置では、前記弁部材が、前記床ノズルから前記ハンドユニットに前記空気流を導き、同時に、前記空気流が前記ハンドル端部を通って流れことを阻止するように構成されており、
前記第２の位置では、前記弁部材が、前記床ノズルから、前記ハンドル端部及び前記ハンドユニットに前記空気流を導くように構成されている、
真空掃除機。
【請求項２】
前記ハンドユニットを前記ノズル端部又は前記床ノズルにドッキングさせるために構成された第１のインタフェースと、
前記ハンドユニットを前記ハンドル端部にドッキングさせるために構成された第２のインタフェースと
を備える、
請求項１に記載の真空掃除機。
【請求項３】
前記第１のインタフェースが、前記弁部材に機械的に連結され、
前記ハンドユニットが前記第１のインタフェースにドッキングされたとき、前記弁部材が前記第１の位置に位置決め可能である、
請求項２に記載の真空掃除機。
【請求項４】
前記ハンドユニットが前記第２のインタフェースにドッキングされたとき、前記弁部材が前記第２の位置に位置決め可能である、
請求項２又は３に記載の真空掃除機。
【請求項５】
前記弁部材が、前記第２の位置の方へ付勢される、
請求項１〜４のいずれか一項に記載の真空掃除機。
【請求項６】
前記弁部材が、第１の端部と第２の端部とを有する管状要素を備え、
前記管状要素が、前記第１の端部で前記細長部材に枢動可能に接続されている、
請求項１〜５のいずれか一項に記載の真空掃除機。
【請求項７】
前記弁部材が前記第１の位置にあるときは、前記ハンドユニットが前記第１のインタフェースにドッキングされたときに、前記管状要素を通して前記ハンドユニットに前記空気流を導くために、前記第２の端部が前記細長部材の外側に延在し、
前記弁部材が前記第２の位置であるときは、前記ハンドユニットが前記第２のインタフェースにドッキングされたときに、前記管状要素を通して前記ハンドル端部及び前記ハンドユニットに前記空気流を導くために、前記第２の端部が前記細長部材の内側に延在する、
請求項２又は６に記載の真空掃除機。
【請求項８】
前記管状要素の前記第２の端部が、前記第１のインタフェースの一部を形成する、
請求項２又は６、７のいずれか一項に記載の真空掃除機。
【請求項９】
前記弁が、前記管状要素の前記第１の端部に接続されているフレキシブルホースを備え、
前記フレキシブルホースが、前記細長部材の内側で前記弁から前記床ノズルの方へ延在している、
請求項６〜８のいずれか一項に記載の真空掃除機。
【請求項１０】
前記細長部材が、前記ノズル端部から前記ハンドル端部まで延在するチューブを備え、
前記チューブが、前記ノズル端部から前記ハンドル端部まで前記空気流が通過することを可能とするように構成されている、
請求項１〜９のいずれか一項に記載の真空掃除機。
【請求項１１】
前記チューブが、長手方向に沿って長さが変化し、
前記長手方向が、前記ノズル端部と前記ハンドル端部との間で延在している、
請求項１０に記載の真空掃除機。
【請求項１２】
前記床ノズルが、枢動可能である接続を介して前記細長部材に接続されており、
前記枢動可能である接続が、前記床ノズルに対する前記細長部材の少なくとも７０度の枢動を可能にする、
請求項１〜１１のいずれか一項に記載の真空掃除機。
【請求項１３】
前記床ノズルが、回転可能なブラシを備える、
請求項１〜１２のいずれか一項に記載の真空掃除機。
【請求項１４】
前記床ノズルが、前記回転可能なブラシを駆動するために構成された電動モータを備える、
請求項１〜１３のいずれか一項に記載の真空掃除機。
【請求項１５】
前記回転可能なブラシを駆動するために構成された前記電動モータが、充電式電池に電気的に接続されている、
請求項１４に記載の真空掃除機。
【請求項１６】
前記ハンドユニットが、前記モータファンユニットを制御するための制御ユニットを備え、
前記制御ユニットが、前記回転可能なブラシを駆動するための前記電動モータ及び／又は前記床ノズルに配置された光源を制御するためにさらに構成されている、
請求項１４に記載の真空掃除機。
【請求項１７】
前記ハンドユニットが、前記モータファンユニットを制御するための制御ユニットを備え、
前記真空掃除機が、前記ハンドル端部に配置された制御スイッチを備え、
前記ハンドユニットが前記第１のインタフェースにドッキングされたとき、前記制御スイッチが前記制御ユニットに電気的に接続される、
請求項１〜１６のいずれか一項に記載の真空掃除機。
【請求項１８】
前記ハンドユニットに配置された充電式電池
を備え、
前記充電式電池が、前記モータファンユニットに電力を供給するために構成されている、
請求項１〜１７のいずれか一項に記載の真空掃除機。
【請求項１９】
前記細長部材又は前記床ノズルに配置されて、充電電流を受けるように構成されている少なくとも２つの電気コネクタと、
前記少なくとも２つの電気コネクタと前記ハンドユニットに配置された前記充電式電池との間で延在する電気伝導体と
を備える、
請求項１８に記載の真空掃除機。
【請求項２０】
前記ハンドユニットが、前記真空掃除機から取り外されると、独立したハンドヘルド真空掃除機として使用可能である、
請求項１〜１９のいずれか一項に記載の真空掃除機。
【請求項２１】
ハンドユニットを真空掃除機の細長部材に流体接続するために構成された弁において、前記弁が、
第１の位置と第２の位置との間で移動可能な弁部材と、
弁長手方向に沿って延在する弁ハウジングと
を備え、
前記弁部材が、第１の端部と第２の端部とを有する管状要素を備え、
前記管状要素が、前記第１の端部で前記弁ハウジングに枢動可能に接続されており、
前記第１の位置では、前記弁部材が、前記弁長手方向に対してある角度をなして前記第１の端部から前記第２の端部に空気流を導き、同時に、前記空気流が前記弁長手方向に沿って流れることを阻止するように構成されており、
前記第２の位置では、前記弁部材が、前記弁長手方向に沿って前記空気流を導くように構成されている、
弁。
【請求項２２】
前記弁部材が前記第１の位置にあるとき、前記第２の端部が前記弁ハウジングの外側に延在し、
前記弁部材が前記第２の位置にあるとき、前記第２の端部が前記弁ハウジングの内側に延在する、
請求項２１に記載の弁。
【請求項２３】
前記弁が、前記管状要素の前記第１の端部に接続されているフレキシブルホースを備える、
請求項２１又は２２に記載の弁。
【請求項２４】
前記弁部材が、前記第２の位置の方へ付勢される、
請求項２１〜２３のいずれか一項に記載の弁。
【発明の詳細な説明】
【技術分野】
【０００１】
本開示は、真空掃除機に関し、ハンドユニットを真空掃除機の細長部材に流体接続するために構成された弁に関する。
【背景技術】
【０００２】
さまざまな種類の真空掃除機が知られている。真空掃除機のうちの１つの種類はスティック型と呼ばれている。スティック型真空掃除機は実質的に、一端のハンドルと他端の床ノズルとを有する細長本体を備える。本体の内部には、真空掃除機を通る空気流を発生させるためのモータファンユニット、及び、空気流から塵及び屑を分離するための主分離ユニットが配置される。スティック型真空掃除機は、立ちながらの使用のために設計されており、ユーザは、ハンドルを把持して、掃除対象表面上でノズルを移動させる。
【０００３】
スティック型真空掃除機の利点は、コンパクトであり、それによって、片付けが簡単ということである。スティック型真空掃除機は、より狭い範囲を素早く真空掃除するための、より大きな真空掃除機を補完するものとして、或いは、たとえば、部屋が１つ又は２つである共同住宅などのより小さな生活空間におけるメインの真空掃除機として、使用してもよい。
【０００４】
スティック型のいくつかの真空掃除機は、それ自体が、たとえば、床面とは別の表面上を真空掃除するために使用できるハンドユニットを含む。このような真空掃除機は、ツーインワン真空掃除機と呼ばれることもある。より詳細には、ハンドユニットは、真空掃除機の本体に、取り外し可能に接続される。スティック型真空掃除機の使用中、ハンドユニットは、真空掃除機の本体に取り付けられている。ハンドユニットは、床ノズルを通る空気流を発生させ、その空気流は、ハンドユニットに配置された主分離ユニットに導かれる。たとえば、テーブル又は他の家具を真空掃除するために、ハンドユニットは、真空掃除機の本体から取り外されて、独立したハンドヘルド真空掃除機として使用される。
【０００５】
国際公開第２００８／０８８２７８号パンフレットは、取り外し可能なハンドヘルドユニットと支持体とを備えるツーインワンタイプのスティック型真空掃除機を開示している。
【０００６】
国際公開第２０１６１８４０７５号パンフレットは、スティック型のスリーインワン真空掃除機を開示している。真空掃除機は、ハンドヘルド真空掃除機と、床ノズルと、ハンドルロッドとを備える。ハンドルロッドは、中空の棒状の物体である。ハンドヘルド真空掃除機、ハンドルロッド、及び床ノズルは、互いに分離することができ、特定の配置で組み合わせることができる。真空掃除機は、次の３つの作動モードで動かすことができる。第１のモードでは、ハンドヘルド真空掃除機、ハンドルロッド、及び床ノズルを含む３つすべての要素を組み合わせて、スティック型真空掃除機を形成する。第２のモードでは、ハンドルロッド及び床ノズルからハンドヘルド真空掃除機を切り離して、独立したハンドヘルド真空掃除機を形成する。第３のモードでは、ハンドヘルド真空掃除機とハンドルロッドとを床ノズルなしで組み合わせて、ハンドヘルド真空掃除機の到達距離をのばす吸込管を形成するハンドルロッドを有するハンドヘルド真空掃除機を形成する。
【発明の概要】
【発明が解決しようとする課題】
【０００７】
家具の下を真空掃除することは、スティック型真空掃除機では難しいことがある。スティック型真空掃除機の本体が、たとえば、ソファ又は戸棚の下に床ノズルが到達することを妨げることがある。
【課題を解決するための手段】
【０００８】
用途の広いスティック型真空掃除機の必要性が存在している。上記欠点を克服する、又は少なくとも軽減する真空掃除機を実現することは有益であろう。特に、スティック型真空掃除機のユーザが、低い家具の下などの狭い水平空間を真空掃除できるようにすることが望ましいであろう。これらの懸念のうちの１つ又は複数に、より適切に対処するために、独立請求項１に定義された特徴を有する真空掃除機が提供される。
【０００９】
本開示のある態様によると、ノズル端部及びハンドル端部を有する細長部材と、ノズル端部に配置された床ノズルと、ハンドル端部に配置されたハンドルと、ノズル端部及びハンドル端部に取り外し可能に接続可能なハンドユニットとを備える真空掃除機が提供される。ハンドユニットは、真空掃除機の少なくとも第１の部分を通る空気流を発生させるためのモータファンユニットと、空気流から塵及び屑を分離するための主分離ユニットとを備える。真空掃除機の第１の部分は床ノズルを備える。真空掃除機は、ノズル端部に配置された弁を備え、弁は、第１の位置と第２の位置との間で移動可能である弁部材を備え、第１の位置において、弁部材は、床ノズルからハンドユニットに空気流を導き、同時に、空気流がハンドル端部を通って流れることを阻止するように構成されており、第２の位置において、弁部材は、床ノズルから、ハンドル端部及びハンドユニットに空気流を導くように構成されている。
【００１０】
真空掃除機がノズル端部に配置された弁を備え、弁が第１の位置と第２の位置との間で移動可能である弁部材を備え、第１の位置では、床ノズルからの空気流がハンドル端部に到達することが阻止され、第２の位置では、床ノズルからの空気流がハンドル端部に導かれるので、真空掃除中、ハンドユニットがノズル端部に接続されているとき、並びに、ハンドユニットがハンドル端部に接続されているときのどちらのときも、床ノズルを利用することができる。よって、真空掃除機のユーザは、ハンドユニットがハンドル端部に接続されているとき、狭い水平空間を真空掃除するために、真空掃除機を使用することができる。さらに、狭い水平空間を真空掃除するとき、床ノズルを利用することができる。
【００１１】
真空掃除機は、ユーザが、ハンドル端部に配置されたハンドルを把持し、床ノズルを、たとえば、床面などの掃除対象表面上で移動させるために構成されてもよい。真空掃除機は、スティック型真空掃除機であってもよい。したがって、細長部材は、真空掃除機の細長本体を形成してもよい。真空掃除するとき、ハンドユニットは、ノズル端部又はハンドル端部のいずれにも接続される。ハンドユニットがノズル端部に接続されているか、ハンドル端部に接続されているかに関係なく、空気流は、真空掃除機の第１の部分、すなわち、床ノズルを備える第１の部分を通って流れる。
【００１２】
ハンドユニットがノズル端部に接続されているとき、真空掃除機の重量は、ノズル端部の方に配分される。ハンドユニットがハンドル端部に接続されているとき、真空掃除機の重量は、ハンドル端部の方に分配される。すなわち、ハンドユニットがハンドル端部に接続されているときよりも、ハンドユニットがノズル端部に接続されているときに、真空掃除機の重心は床ノズルにより近くなる。よって、より広い開放面を真空掃除するとき、真空掃除機の取り回しを楽にするために、ハンドユニットはノズル端部に好適に接続される。家具の下などの狭い水平空間を真空掃除するときのみ、ハンドユニットはハンドル端部に接続されて、床ノズルが狭い水平空間に到達することが可能となる。狭い水平空間の真空掃除は、真空掃除時間のうちのほんの限られた一部であるので、真空掃除時間のうちの限られた時間のためにハンドユニットがハンドル端部に接続されたときのみ、ユーザはハンドル端部の追加された重量を支持しなければならない。また、真空掃除機を片付けるとき、ハンドユニットは、ユニットを安定させるために、ノズル端部に接続されてもよく、そして、床ノズル上に立ててもよい。
【００１３】
ハンドユニットがノズル端部に接続されているか、ハンドル端部に接続されているかに関係なく、モータファンユニットは、空気流を発生させるために構成される。ハンドユニットがノズル端部に接続されているか、ハンドル端部に接続されているかに関係なく、ハンドユニットの主分離ユニットは、空気流から塵及び屑を分離するために構成される。実施形態によると、真空掃除機は、ハンドユニットをノズル端部又は床ノズルにドッキングさせるために構成された第１のインタフェースと、ハンドユニットをハンドル端部にドッキングさせるために構成された第２のインタフェースとを備えてもよい。このようにして、ハンドユニットは好都合には、ノズル端部に、又はその代わりにハンドル端部にドッキングさせてもよい。第１のインタフェース及び第２のインタフェースはそれぞれ、ハンドユニットの空気流路に流体接続されるために構成された導管部分を備えてもよい。よって、床ノズルからの空気流は、ハンドユニットに対するそれぞれのインタフェースを介して導かれてもよく、主分離ユニットは、空気流路に配置されてもよい。
【００１４】
実施形態によると、第１のインタフェースは、弁部材に機械的に連結されていてもよく、ハンドユニットが第１のインタフェースにドッキングされたとき、弁部材は第１の位置に位置決め可能である。このようにして、ハンドユニットがノズル端部に接続されたとき、空気流は床ノズルからハンドユニットに導かれてもよい。第１のインタフェースは、連結装置を介して弁部材にて機械的に連結されてもよく、連結装置は弁部材を作動させて、弁部材を第１の位置に位置付ける。
【００１５】
実施形態によると、弁部材は、第２の位置の方へ付勢されてもよい。このようにして、ハンドユニットがノズル端部と切り離されて、ハンドル端部に接続されたとき、空気流は、ハンドル端部の方へ自動的に導かれてもよい。
【００１６】
実施形態によると、弁部材は、第１の端部と第２の端部とを有する管状要素を備えてもよく、管状要素は、第１の端部で細長部材に枢動可能に接続されている。このようにして、空気流は、管状要素を通って導かれてもよい。さらに、弁部材は、管状要素が第１の端部で枢動することによって、第１の位置と第２の位置との間で移動可能であってもよい。細長部材は、弁の一部を形成する弁部を備えてもよい。弁部は、弁のハウジングを形成してもよい。
【００１７】
実施形態によると、弁部材が第１の位置にあるときは、ハンドユニットが第１のインタフェースにドッキングされたときに、管状要素を通してハンドユニットに空気流を導くために、第２の端部が細長部材の外側に延在してもよく、弁部材が第２の位置にあるときは、ハンドユニットが第２のインタフェースにドッキングされたときに、管状要素を通してハンドル端部及びハンドユニットに空気流を導くために、第２の端部が細長部材の内側に延在してもよい。このようにして、ハンドユニットがノズル端部に接続されているか、ハンドル端部に接続されているかに応じて、空気流が、真空掃除機内に導かれてもよい。実施形態によると、管状要素の第２の端部は、第１のインタフェースの一部を形成してもよい。このようにして、ハンドユニットは、管状要素の第２の端部に流体接続されてもよく、ハンドユニットが第１のインタフェースにドッキングされたとき、空気流はハンドユニットに導かれてもよい。
【００１８】
実施形態によると、弁は、管状要素の第１の端部に接続されているフレキシブルホースを備えてもよく、フレキシブルホースは、細長部材の内側で弁から床ノズルの方へ延在している。このようにして、フレキシブルホースは、管状要素と細長部材との間にシールを形成してもよい。特に、フレキシブルホースは、管状要素の第１の端部が枢動可能に取り付けられる部分における細長部材内への空気漏洩に対するシールをする。床ノズルからの空気流は、フレキシブルホースを通って流れる。
【００１９】
実施形態によると、細長部材は、ノズル端部からハンドル端部まで延在するチューブを備えてもよく、チューブは、ノズル端部からハンドル端部まで空気流が通過することを可能とするように構成されている。このように、真空掃除機の細長本体が提供されてもよい。よって、ハンドユニットがハンドル端部に接続されているとき、床ノズルは狭い水平空間に到達することができる。
【００２０】
実施形態によると、チューブは、長手方向に沿って長さが変化してもよく、長手方向は、ノズル端部とハンドル端部との間で延在している。このようにして、チューブは、とりわけ、狭い水平空間に到達するように適合可能であり、真空掃除機のユーザの身長に適合可能であり、且つ、真空掃除機の収納に適合可能である長さを有してもよい。長さの変化は、たとえば、望遠鏡式のチューブによって、或いは、少なくとも１つのさらなるチューブ要素によって伸びるように、且つ／又は、少なくとも１つのチューブ要素の除去によって長さが減少するように構成されているチューブによって、実現されてもよい。
【００２１】
実施形態によると、床ノズルは、枢動可能である接続を介して細長部材に接続されてもよく、枢動可能である接続は、床ノズルに対する細長部材の少なくとも７０度の枢動を可能にする。このようにして、たとえば、床ノズルを狭い水平空間に移動させるときに、床ノズルを掃除する表面と接触させたまま、細長部材を掃除する表面の方へ下向きに枢動させることができる。
【００２２】
実施形態によると、ハンドユニットは、モータファンユニットを制御するための制御ユニットを備えてもよい。よって、真空掃除機は、制御ユニットを介して制御されてもよい。たとえば、真空掃除機は、制御ユニットを介してスイッチをオン又はオフにしてもよい。制御ユニットは、回転可能なブラシを駆動するための電動モータ及び／又は床ノズルに配置された光源を制御するためにさらに構成されてもよい。
【００２３】
真空掃除機は、ハンドル端部に配置された制御スイッチを備えてもよい。ハンドユニットが第１のインタフェースにドッキングされたとき、制御スイッチは制御ユニットに電気的に接続されてもよい。このようにして、ハンドユニットが第１のインタフェースにドッキングされたとき、真空掃除機は制御スイッチで制御されてもよい。よって、真空掃除機のユーザは、ハンドユニットまで手をのばす必要はなく、それでも真空掃除機のハンドル端部から真空掃除機を制御することができる。
【００２４】
実施形態によると、ハンドユニットは、真空掃除機から取り外されると、独立したハンドヘルド真空掃除機として使用可能であってもよい。このようにして、多目的の真空掃除機が提供されてもよい。
【００２５】
上記のように、用途の広いスティック型真空掃除機を提供する必要性が存在している。低い家具の下などの狭い水平空間を真空掃除するために、スティック型真空掃除機を、それが可能となるように適合させることは有益であろう。これらの懸念のうちの１つ又は複数により適切に対処するために、独立請求項２１に定義されるような、真空掃除機の細長部材にハンドヘルドユニットを流体接続するために構成される弁が提供される。
【００２６】
本開示のさらなる態様によると、ハンドユニットを真空掃除機の細長部材に流体接続するために構成される弁が提供され、弁は、第１の位置と第２の位置との間で移動可能な弁部材と、弁長手方向に沿って延在する弁ハウジングとを備える。弁部材は、第１の端部と第２の端部とを有する管状要素を備え、管状要素は、第１の端部で弁ハウジングに枢動可能に接続されている。第１の位置において、弁部材は、弁長手方向に対してある角度をなして第１の端部から第２の端部に空気流を導き、同時に、空気流が弁長手方向に沿って流れることを阻止するように構成されている。第２の位置において、弁部材は、弁長手方向に沿って空気流を導くように構成されている。
【００２７】
弁が第１の位置と第２の位置との間で移動可能な弁部材を備え、弁部材が第１の端部で弁ハウジングに枢動可能に接続された管状要素を備え、第１の位置において、弁部材が、弁長手方向に対してある角度をなして第１の端部から第２の端部に空気流を導き、同時に、空気流が弁長手方向に沿って流れることを阻止するように構成されており、第２の位置において、弁部材が、弁長手方向に沿って空気流を導くように構成されているので、弁は、真空掃除機の細長部材に配置されるとき、弁部材が第１の位置及び第２の位置のどちらにあるときも、真空掃除の間、真空掃除機の床ノズルを利用できるように、真空掃除機内の空気流を導く。よって、真空掃除機のユーザは、弁部材が第１の位置にあるときに第２の端部に流体接続されたハンドユニットによって開放床面を真空掃除するために、且つ、弁部材が第２の位置にあるときに第２の端部に流体接続されたハンドユニットによって狭い水平空間を真空掃除するために、真空掃除機を使用することができる。
【００２８】
実施形態によると、弁部材が第１の位置にあるとき、第２の端部は弁ハウジングの外側に延在し、弁部材が第２の位置にあるとき、第２の端部は弁ハウジングの内側に延在する。このようにして、弁部材が第１の位置にあるとき、並びに、第２の端部が第２の位置にあるとき、ハンドユニットは第２の端部に流体接続されてもよい。
【００２９】
実施形態によると、弁は、管状要素の第１の端部に接続されているフレキシブルホースを備えてもよい。このようにして、フレキシブルチューブは、空気流が管状部材の第１の端部に導かれることを保証するために利用されてもよい。フレキシブルチューブは、管状要素の第１の端部において、空気が弁内で漏れることを防ぐためのシールを形成してもよい。
【００３０】
実施形態によると、弁部材は、第２の位置の方へ付勢されてもよい。このようにして、弁部材が第２の位置に位置付けられることが保証されてもよい。弁部材が第２の位置にあるとき、ハンドユニットが第２の端部から遠い距離に配置されて、第２の端部に流体接続されるときに、これは有益であることがある。
【００３１】
さらなる特徴及び利点は、添付の特許請求の範囲及び以下の詳細説明を検討すると明らかになるであろう。
【００３２】
その特定の特徴及び利点を含むさまざまな態様及び／又は実施形態は、以下の詳細説明及び添付図面で論じられる例示的実施形態から容易に理解されるであろう。
【図面の簡単な説明】
【００３３】
【図１ａ】第１の実施形態による真空掃除機を示す。
【図１ｂ】第１の実施形態による真空掃除機を示す。
【図２ａ】第２の実施形態による真空掃除機を示す。
【図２ｂ】第２の実施形態による真空掃除機を示す。
【図３ａ】ハンドユニットを真空掃除機の細長部材に流体接続するために構成される弁の実施形態を示す。
【図３ｂ】ハンドユニットを真空掃除機の細長部材に流体接続するために構成される弁の実施形態を示す。
【図３ｃ】ハンドユニットを真空掃除機の細長部材に流体接続するために構成される弁の実施形態を示す。
【図４ａ】ハンドユニットを真空掃除機の細長部材に流体接続するために構成される弁の実施形態を示す。
【図４ｂ】ハンドユニットを真空掃除機の細長部材に流体接続するために構成される弁の実施形態を示す。
【図５】ハンドユニットを真空掃除機の細長部材に流体接続するために構成される弁の実施形態を示す。
【図６ａ】実施形態による真空掃除機を示す。
【図６ｂ】実施形態による真空掃除機を示す。
【図６ｃ】実施形態による真空掃除機を示す。
【図７ａ】真空掃除機の断面を示す。
【図７ｂ】真空掃除機の断面を示す。
【図８】真空掃除機の電気回路の実施形態を示す。
【図９】真空掃除機のためのスタンドの例示的実施形態を示す。
【発明を実施するための形態】
【００３４】
ここで、態様及び／又は実施形態がより完全に記載される。同一の数字は全体を通して同一の要素を指す。よく知られている機能又は構成は、簡潔さ及び／又は明瞭さのために、必ずしも詳細に記載されるわけではない。
【００３５】
図１ａ及び１ｂは、第１の実施形態による真空掃除機２を示す。図２ａ及び２ｂは、代替的な第２の実施形態による真空掃除機２を示す。図１ａ及び２ａに、真空掃除機２の斜視図が示されている。図１ｂ及び２ｂに、真空掃除機２のフロー図が示されている。図１ａ〜２ｂに関連する以下の説明では、実施形態のうちの一方を特別に参照しない限り、両方の実施形態が参照される。図１ａの真空掃除機２は、真空掃除機２のための専用スタンド３０に立てて示されている。
【００３６】
真空掃除機２は、ノズル端部６とハンドル端部８とを有する細長部材４を備える。真空掃除機２は、ノズル端部６に配置された床ノズル１０と、ハンドル端部８に配置されたハンドル１２とをさらに備える。さらに、真空掃除機２は、ノズル端部６及びハンドル端部８に取り外し可能に接続可能なハンドユニット１４を備える。すなわち、ハンドユニット１４は、たとえば、どのような種類の真空掃除作業が真空掃除機２で実行されるかに応じて、ノズル端部６又はハンドル端部８のいずれかに接続することができる。図１ａ及び２ａでは、ハンドユニット１４はノズル端部６に接続されている。図１ｂ及び２ｂでは、ハンドユニット１４は、ノズル端部６及びハンドル端部８の両方に接続されて示されている。
【００３７】
図１ａに明確に示されているように、第１の実施形態に従って、ハンドユニット１４が真空掃除機２のノズル端部６に接続されるとき、ハンドユニット１４は細長部材４に接続される。同様に、図２ａに示されるように、第２の実施形態に従って、ハンドユニット１４が真空掃除機２のノズル端部６に接続されるとき、ハンドユニット１４は床ノズル１０に接続される。両方の実施形態において、ハンドユニット１４は、細長部材４のノズル端部６に接続される。言い換えると、用語「ノズル端部に接続される」は、細長部材６及び床ノズル１０の両方に対するハンドユニットの接続代替形態に適用される。
【００３８】
知られている方法で、ハンドユニット１４は、モータファンユニット３２と主分離ユニット３４とを備える。モータファンユニット３２は、真空掃除機２の少なくとも一部を通る空気流を発生させるために構成される。主分離ユニット３４は、空気流から塵及び屑を分離するために構成される。主分離ユニット３４は、空にするために又は交換するために、ハンドユニット１４から取り外されてもよい。
【００３９】
真空掃除機２は、ノズル端部６に配置された弁２０を備える。弁２０は、第１の位置と第２の位置との間で移動可能な弁部材を備える（さらに図３ａ〜４ｂを参照）。弁部材が第１の位置に配置されているときは、図１ｂ及び２ｂの左側のハンドユニット１４によって示されるように、ハンドユニット１４がノズル端部６に接続されると、弁部材は床ノズル１０からハンドユニット１４に空気流を導くように構成される。同時に、弁部材が第１の位置に配置されているときは、ハンドユニット１４が細長部材４のノズル端部６に接続されると、弁部材は空気流がハンドル端部８を通って流れることを阻止するように構成される。図１ｂ及び２ｂの右側のハンドユニット１４によって示されるように、ハンドユニット１４がハンドル端部８に接続されると、弁部材は床ノズル１０からハンドル端部８に空気流を導くように構成される。また、弁部材が第２の位置にあるときは、ハンドユニット１４が細長部材４のハンドル端部８に接続されると、弁部材は空気が弁２０を通って漏れることを阻止するように構成される。
【００４０】
図１ａ及び１ｂの実施形態では、弁２０は細長部材４に配置されている。図２ａ及び２ｂの実施形態では、弁２０は床ノズル１０に配置されている。両方の実施形態において、ハンドユニット１４は細長部材４のノズル端部６に接続可能である。
【００４１】
ハンドユニット１４内の流路は、弁部材が第１の位置に配置されているときは、弁２０を介して床ノズル１０に流体接続され、ハンドユニット１４は、細長部材４のノズル端部６に接続されている。同様に、ハンドユニット１４内の流路は、弁部材が第２の位置に配置されているときは、弁２０を介して床ノズル１０に流体接続され、ハンドユニット１４は、細長部材４のハンドル端部８に接続されている。
【００４２】
モータファンユニット３２は、ハンドユニット１４が細長部材４のノズル端部６に接続されているとき、且つ、ハンドユニット１４が細長部材４のハンドル端部８に接続されているときに、真空掃除機２の少なくとも第１の部分を通る空気流を発生させるために構成される。主分離ユニット３４は、ハンドユニット１４が細長部材４のノズル端部に接続されているとき、且つ、ハンドユニット１４が細長部材４のノズル端部８に接続されているときに、空気流から塵及び屑を分離するために構成される。真空掃除機２の第１の部分は、床ノズル１０を備える。
【００４３】
ハンドユニット１４は細長部材４のノズル端部６又は細長部材４のハンドル端部８のいずれかに接続することができるので、多目的真空掃除機２が提供される。さらに、ハンドユニット１４は、細長部材４から取り外されると、独立したハンドヘルド真空掃除機として使用可能であってもよい。
【００４４】
床ノズル１０は、細長部材４のノズル端部６と流体接続される。より詳細には、床ノズル１０内の流路は、細長部材４内の流路と流体接続される。よって、ハンドユニット１４のモータファンユニット３２によって発生された空気流は、少なくとも、弁部材が第２の位置にあり、且つ、ハンドユニット１４がハンドル端部８に接続されているとき、床ノズル１０からノズル端部６に流れる。図１ａ及び１ｂに示された第１の実施形態において、床ノズル１０内の流路は、ハンドユニット１４がノズル端部６に接続されたとき、細長部材４の第１の端部６の流路と流体接続される。ハンドユニット１４のモータファンユニット３２によって発生された空気流は、弁部材が第１の位置にあり、且つ、ハンドユニット１４がノズル端部６に配置されたとき、床ノズル１０からノズル端部６に流れる。
【００４５】
細長部材４は、ノズル端部６からハンドル端部８まで延在するチューブ２６を備える。チューブ２６は、ノズル端部６からハンドル端部８まで空気流が通過することを可能とするように構成される。すなわち、チューブ２６は、ハンドユニット１４のモータファンユニット３２によって発生された空気流のために、細長部材４の流路を形成する。チューブ２６は、細長部材４の主部を形成してもよい。チューブ２６は、細長部材４を形成してもよい。床ノズル１０は、チューブ２６に接続されてもよい。ハンドル１２は、チューブ２６に接続されてもよい。
【００４６】
細長部材４は、真空掃除機２の細長本体を形成してもよい。チューブ２６は、真空掃除機２の細長本体を形成してもよい。よって、床ノズルは、ハンドユニット１４がハンドル端部８に接続されたとき、狭い水平空間に到達することができる。チューブ２６は、長手方向Ｌに沿って長さが変化してもよい。長手方向Ｌは、図２ａに示されるように、ノズル端部６とハンドル端部８との間で伸びる。よって、チューブ２６は、真空掃除機２の真空掃除中及び片付け中のそれぞれ状況に適応できる長さを有してもよい。図２ａの実施形態のように、長さの変化は、望遠鏡式のチューブ２６によって実現されてもよく、ハンドル端部８を備えるチューブ２６の部分は、ノズル端部６を備えるチューブ２６の部分に長手方向Ｌに沿って移動してもよく、且つ、反対方向に移動してもよい。
【００４７】
或いは、少なくとも１つのチューブ要素２７によって伸びるように、且つ／又は、少なくとも１つのチューブ要素２７の除去によって長さが減少するように構成されているチューブ２６によって、チューブ２６は長手方向Ｌに沿って長さが変化してもよい。したがって、チューブ２６は、図１ａに示されるように、２つ以上のチューブ要素２７、２７'を備えてもよい。
【００４８】
図３ａ〜５は、ハンドユニット１４を真空掃除機２の細長部材４に流体接続するために構成される弁２０の実施形態を示す。図３ａ〜３ｃは、図１ａ及び１ｂを参照して上で論じられた第１の実施形態の真空掃除機２で利用されるために構成される弁２０の実施形態を示す。図３ａ及び３ｂは、弁２０の斜視図及び側面図を示す。図３ｃは、破線がその一部を示す弁２０の側面図を示す。図４ａ及び４ｂは、図２ａ及び２ｂを参照して上で論じられた第２の実施形態の真空掃除機２で利用されるために構成される弁２０の実施形態を示す。図５は、図１ａ及び１ｂを参照して上で論じられた第１の実施形態の真空掃除機２で利用されるために構成される弁２０の代替的な実施形態の部分断面を示す。
【００４９】
図３ａ〜３ｃを参照すると、弁２０は、弁部材４０と弁ハウジング４２とを備える。弁ハウジング４２は、弁長手方向ＶＬに沿って延在する。弁部材４０は、第１の端部４６と第２の端部４８とを有する管状要素４４を備える。管状要素４４は、第１の端部４６で弁ハウジング４２に枢動可能に接続されている。管状要素４４は、図３ｃに示された第１の端部４６の枢軸４７を中心に枢動してもよい。
【００５０】
弁部材４０は、図３ａ及び３ｃに示された第１の位置と、図３ｂに示された第２の位置との間で移動可能である。弁２０を通る空気流５０は、図３ａ〜３ｃにおいて矢印５０で示されている。第１の位置において、弁部材４０は、弁長手方向ＶＬに対してある角度をなして管状要素４４の第１の端部４６から管状要素４４の第２の端部４８に空気流５０を導き、同時に、空気流５０が弁長手方向ＶＬに沿って流れることを阻止するように構成されている。第２の位置において、弁部材４０は、弁長手方向ＶＬに沿って、管状要素４４の第１の端部４６から管状要素４４の第２の端部４８に空気流５０を導くように構成されている。第２の位置において、弁部材４０は、空気流５０が弁長手方向ＶＬに対してある角度をなして流れることを阻止するように構成されている。
【００５１】
弁部材４０が第１の位置にあるとき、第２の端部４８は弁ハウジング４２の外側に延在する。弁部材４０が第２の位置にあるとき、第２の端部４８は弁ハウジング４２の内側に延在する。
【００５２】
弁ハウジング４２は、図１ａ及び１ｂを参照して上で論じられた第１の実施形態による真空掃除機２の細長部材４の一部を形成してもよく、又は、その細長部材４に接続されてもよい。弁ハウジング４２は、図１ａ及び１ｂを参照して上で論じられた第１の実施形態による真空掃除機２のチューブ２６の一部を形成してもよく、又は、そのチューブ２６に接続されてもよい。
【００５３】
したがって、管状要素４４の第１の端部４６は、管状要素４４の第２の端部４８よりも真空掃除機２の床ノズル１０の近くに配置されることがある。
【００５４】
よって、弁２０は、真空掃除機の２つの異なる部分に空気流５０を導くように構成されている。たとえば、図１ａ及び１ｂを参照して上で論じられた第１の実施形態による真空掃除機２では、床ノズル１０からの空気流は、ハンドユニット１４が細長部材４のノズル端部６に接続されたときにハンドユニット１４に導かれてもよく、又は、ハンドユニット１４が細長部材４のハンド端部８に接続されたときにハンドユニット１４に導かれてもよい。
【００５５】
いくつかの実施形態によると、弁部材４０は、図３ｂに示される第２の位置の方へ付勢されてもよい。よって、弁部材４０は、第２の端部４８の第２の位置に自動的に移動し、弁ハウジング４２の内側に延在する。
【００５６】
管状要素４４は、少なくとも１つの軌道６６を備えてもよい。少なくとも１つの軌道６６は湾曲している。少なくとも１つの軌道６６に沿って動かすために、突起が少なくとも１つの軌道６６に延在してもよい。よって、少なくとも１つの軌道６６に沿って突起を動かすことによって、管状要素４４は、枢軸４７を中心に枢動してもよい（以下の図６ａ及び６ｂを参照）。
【００５７】
図５の実施形態による弁２０は、多くの点で、図３ａ〜３ｃの実施形態に似ている。主な違いは、図５の実施形態の弁２０が、管状要素４０の第１の端部４６に接続されているフレキシブルホース５２を備えるということである。フレキシブルホース５２は、第１の端部４６から関連する真空掃除機の床ノズルの方へ延在する。フレキシブルホース５２は、床ノズルから弁２０への空気流５０のための流路の少なくとも一部を形成する。フレキシブルホース５２は、弁２０の管状要素４０の第１の端部４６における空気漏洩を防ぐためのシールを形成してもよい。
【００５８】
図４ａ及び４ｂの実施形態において、弁２０は床ノズル１０に配置されており、床ノズル１０に配置された弁部材４０を備える。弁部材４０は、床ノズル１０に枢動可能に接続されている。弁部材４０は、枢軸４９を中心に枢動してもよい。弁部材４０は、図４ａに示された第１の位置と、図４ｂに示された第２の位置との間で移動可能である。
【００５９】
第１の位置において、弁部材４０は、弁２０の第１の開口５４を閉じ、その第１の開口５４は、細長部材４と、より詳細には、細長部材４のノズル端部６と流体接続されている。よって、弁部材４０が第１の位置にあるとき、細長部材４への空気流は阻止される。弁部材４０が第１の位置にあるとき、弁２０の第２の開口５６は開いている。よって、図４ａの矢印５０で示される、床ノズル１０及び弁２０を通る空気流５０は、ハンドユニット（図示せず）を接続するための第１のインタフェース２２に導かれる。第１のインタフェース２２は、床ノズル１０上に配置されている、又は、床ノズル１０に接続されている。すなわち、ハンドユニットが第１のインタフェース２２に接続されると、ハンドユニットは細長部材４のノズル端部６に接続される。第１のインタフェース２２は、ハンドユニット１４を床ノズル１０にドッキングさせるために構成されている。
【００６０】
第２の位置において、弁部材４０は、第１のインタフェース２２への空気流を阻止する第２の開口５６を閉じる。弁部材４０が第２の位置にあるとき、第１の開口５４は開いており、空気流５０は床ノズル１０及び弁２０を通って細長部材４へと流れることができる。空気流５０は、図４ｂの矢印５０で示されている。ハンドユニットが細長部材４のハンドル端部（図示せず）に接続されると、第１の開口５４を通る空気流５０がハンドユニットによって発生する。
【００６１】
同様に、弁部材４０は、図４ｂに示される第２の位置の方へ付勢されてもよい。よって、弁部材４０は、第２の開口５６を閉じて、空気流５０を細長部材４に導くために、第２の位置に自動的に移動する。弁部材４０は、ねじりばねなどの示されていないばねによって、第２の位置に付勢されてもよい。ハンドユニットが第１のインタフェース２２にドッキングされると、弁部材４０は、たとえば、示されていない機構によって、第１の位置に自動的に移動してもよい。
【００６２】
図４ａ及び４ｂの実施形態において、床ノズル１０は、回転可能なブラシ９０を備える（さらに以下の図８を参照）。
【００６３】
図６ａ〜６ｃは、実施形態による真空掃除機２を示す。真空掃除機２は、図１ａ及び１ｂに関連して論じられる第１の実施形態による真空掃除機である。図６ａでは、ハンドユニット１４は、細長部材４のノズル端部６にドッキングされている。図６ｂでは、ハンドユニット１４は、細長部材４のハンドル端部８にドッキングされている。図６ｃでは、真空掃除機２の床ノズル１０及びノズル端部６の一部が示されている。
【００６４】
真空掃除機２は、ハンドユニット１４を細長部材４のノズル端部６にドッキングさせるために構成された第１のインタフェース２２と、ハンドユニット１４を細長部材４のハンドル端部８にドッキングさせるために構成された第２のインタフェース２４とを備える。
【００６５】
これらの実施形態において、第１のインタフェース２２は、ハンドユニット１４の外面に配置された突起６２を受けて、係合するために構成された１つ又は複数の凹部６０を備える。凹部６０は、接続部材６４に設けられる。ハンドユニット１４が第１のインタフェース２２に接続されるとき、弁２０の弁部材は、図１ａ及び１ｂ、並びに３ａ〜３ｃを参照して上で論じられたような第１の位置に配置される。よって、ハンドユニット１４で発生された空気流は、床ノズル１０から弁２０を介してハンドユニット１４に導かれ、ハンドル端部８への空気流又はハンドル端部８からの空気流は阻止される。
【００６６】
第１のインタフェース２２は、弁部材４０に機械的に連結される。よって、ハンドユニット１４が第１のインタフェース２２にドッキングされるとき、弁部材４０は第１の位置に位置決め可能である。より詳細には、これらの実施形態において、接続部材６４は、長手方向Ｌに沿った細長部材４に沿って移動可能である。ハンドユニット１４が第１のインタフェース２２に接続されるとき、接続部材６４は、図６ｂ及び６ｃに示された後方位置から、図６ａに示された床ノズル１０の方の前方位置に移動される。接続部材６４は、管状要素４４の軌道６６（図３ａ及び３ｃ参照）に沿って動くように構成された突起（図示せず）を介して、弁部材４０に機械的に連結され、接続部材６４が後方位置から前方位置に移動したとき、弁部材４０は第１の端部４６を中心に枢動する。よって、管状要素４４の第２の端部４８は、ハンドユニット１４の口６８に流体接続されてもよい（図７ａも参照）。管状要素４４の第２の端部４８は、第１のインタフェース２２の一部を形成してもよい。
【００６７】
これらの実施形態において、ハンドル端部８の後端部は、第２のインタフェース２４を備える。第２のインタフェース２４は、ハンドル端部８の後端部における開口７０によって形成される。ハンドユニット１４の口６８は、開口７０に嵌合する。よって、ハンドユニット１４で発生された空気流は、床ノズル１０から細長部材全体４を通ってハンドユニット１４まで導かれる。弁２０の弁部材４０は、第２の位置にある。したがって、空気流は、弁２０を介してノズル端部６からハンドル端部８に導かれる。弁２０において細長部材４への空気流は阻止される。
【００６８】
ハンドユニット１４が第２のインタフェース２４にドッキングされるとき、弁部材４０は第２の位置に位置決め可能である。このようにして、床ノズル１０からの空気流は、ハンドル端部８及びハンドユニット１４の方に導かれる。
【００６９】
上記のように、弁部材４０は、第２の位置の方へ付勢されてもよい。たとえば、接続部材６４は、その後方位置の方へばね付勢されてもよい。よって、ハンドユニット１４が第１のインタフェース２２に接続されていないとき、接続部材６４はその後方位置の方へ引かれる又は押されるので、弁部材４０と接続部材６４との間の機械的連結により、弁部材は第２の位置に枢動する。
【００７０】
弁部材４０が第１の位置にあるとき、第２の端部４８は細長部材４の外側に延在する。すなわち、管状要素４４は、長手方向Ｌに対してある角度をなしている。よって、図６ａに示されるように、ハンドユニット１４が第１のインタフェース２２にドッキングされたとき、空気流は管状要素４４を通ってハンドユニット１４に導かれる。弁部材４０が第２の位置にあるとき、第２の端部４８は細長部材４の内側に延在してもよい。すなわち、管状要素４４は長手方向Ｌに沿って延在する。よって、図６ｂに示されるように、ハンドユニット１４が第２のインタフェース２４にドッキングされたとき、空気流は管状要素４４を通ってハンドル端部８及びハンドユニット１４に導かれる。
【００７１】
床ノズル１０は、枢動可能である接続２８を介して細長部材４に接続される。よって、床ノズル１０は、細長部材４に対して枢動されてもよい。枢動可能である接続２８は、床ノズル１０に対する細長部材４の少なくとも７０度の枢動を可能にしてもよい。言い換えると、真空掃除されている床面７２と細長部材４の長手方向Ｌとの間の角度αは、少なくとも７０度を超えて変化してもよく、同時に、床ノズル１０は、真空掃除位置において、床面７２に当接する。
【００７２】
図６ａに示されるようにハンドユニット１４が第１のインタフェース２２にドッキングされているときは、図６ｂに示されるようにハンドユニット１４が第２のインタフェース２４にドッキングされているときよりも、真空掃除機２の重心が床ノズル１０により近くなる。よって、開放面を真空掃除するとき、ハンドユニット１４は好適に、第１のインタフェース２２にドッキングされてもよい。真空掃除機２のユーザは、ハンドル１２によって真空掃除機２を把持し、掃除対象表面に沿って床ノズル１０を移動させる。重心が床ノズル１０の方へ移動しているため、ユーザが支持しなければならない真空掃除機２の重量はより小さくなる。家具の下などの狭い水平空間を真空掃除するとき、ハンドユニット１４が第１のインタフェース２２にドッキングされていることにより、狭い水平空間全体への床ノズル１０の到達が妨げられることがある。よって、ハンドユニット１４は、第２のインタフェース２４にドッキングされてもよい。よって、床ノズル１０は、狭い水平空間全体に到達することができる。細長部材４は、床ノズル１０とハンドユニット１４の口６８との間で延長部を形成する。ユーザは、さらに１２におけるハンドル又はハンドユニット１４のハンドル７４を把持し、床ノズル１０を狭い水平空間に導くことができる。枢動可能である接続２８は、床ノズル１０が狭い水平空間内の真空掃除されている表面に当接することを保証することができる。狭い水平空間を真空掃除している間、ハンドユニット１４が第２のインタフェース２４にドッキングされているときは、ユーザが支持しなければならない真空掃除機２の重量はより大きくなる。
【００７３】
図６ａ及び６ｂにおいて、細長部材４及び床ノズル１０の電気コネクタ８６、８６'が示されている（さらに以下の図８を参照）。制御スイッチ９８は図６ａに示されている（さらに以下の図８を参照）。
【００７４】
図７ａ及び７ｂは、図１ａ、１ｂ、６ａ〜６ｃの第１の実施形態の真空掃除機２の断面を示す。ここでは、ハンドユニット１４が、第１のインタフェース２２にドッキングされているとき、及び、第２のインタフェース２４にドッキングされているときの、それぞれの真空掃除機２を通る空気流が記載されている。真空掃除機２を通る空気流は、図７ａ及び７ｂに矢印で示されている。
【００７５】
ハンドユニット１４のモータファンユニット３２は、真空掃除機２の少なくとも第１の部分を通る空気流を発生させる。ハンドユニット１４の主分離ユニット３４では、塵及び屑が空気流から分離される。知られている方法で、主分離ユニット３４は、塵及び屑を空気流から分離するためのサイクロンを備えてもよい。或いは、主分離ユニット３４は、塵及び屑を空気流から分離するための通気性の使い捨て容器を備えてもよい。
【００７６】
ハンドユニット１４の空気流路は、口６８から主分離ユニット３４に、そして、モータファンユニット３２を通って空気出口（図示せず）まで延在する。
【００７７】
図７ａに示されるように、ハンドユニット１４が第１のインタフェース２２にドッキングされているとき、空気流は、床ノズル１０を備える真空掃除機２の第１の部分を通って細長部材４に、そして、弁２０を通り、ハンドユニット１４の空気流路を通って流れる。弁２０と第２のインタフェース２４との間の細長部材４を通る空気流は、弁２０によって阻止される。弁２０の弁部材は、第１の位置に配置されている。
【００７８】
図７ｂに示されるように、ハンドユニット１４が第２のインタフェース２４にドッキングされているとき、空気流は、床ノズル１０を備える真空掃除機２の第１の部分を通り、細長部材全体４を通り、そして、ハンドユニット１４の空気流路を通って流れる。弁２０の弁部材は、第２の位置に配置されている。
【００７９】
図８は、本明細書に論じられる態様及び／又は実施形態による真空掃除機２の電気回路８０の実施形態を概略的に示す。真空掃除機２のモータファンユニット３２は、電動モータ８２を備える。真空掃除機２は、ハンドユニット１４に配置された充電式電池８４を備える。充電式電池８４は、モータファンユニット３２に電力を供給するために構成されている。より詳細には、充電式電池８４は、モータファンユニット３２の電動モータ８２に接続されている。ハンドユニット１４は、図８において破線で示されている。
【００８０】
真空掃除機２は、細長部材又は床ノズルに配置されて、充電電流を受けるために構成されている少なくとも２つの電気コネクタ８６、８６'を備える。真空掃除機２は、少なくとも２つの電気コネクタ８６、８６'とハンドユニット１４に配置された充電式電池８４との間で延在する電気伝導体をさらに備える。よって、充電電流を充電式電池８４に提供することができる。図６ａにおいて、ついに２つの電気コネクタのうちの１つ８６が細長部材４に示されている。図６ｃにおいて、ついに２つの電気コネクタのうちの２つ８６、８６'が床ノズル１０に示されている。図９は、真空掃除機２のためのスタンド３０の例示的実施形態を示す。スタンド３０の内側に、充電器が配置されてもよい。１つが図９に示されている接触板８８を介して、図１ａに示されるように、真空掃除機２がスタンド３０に立っているときに、充電電流が、真空掃除機２の少なくとも２つの電気コネクタ８６、８６'に伝えられてもよい。
【００８１】
図８に戻ると、床ノズルは、回転可能なブラシ９０を備えてもよい。このようにして、回転可能なブラシ９０は、真空掃除されている表面から塵及び屑を払いのけてもよく、それによって、床ノズルに入る空気流による塵及び屑の吸込みを支援する。図４ａ及び４ｂに、回転可能なブラシ９０が示されている。好適に、床ノズルは、回転可能なブラシ９０を駆動するために構成された電動モータ９２を備えてもよい。
【００８２】
回転可能なブラシ９０を駆動するために構成された電動モータ９２は、充電式電池に電気的に接続される。回転可能なブラシ９０を駆動するために構成された電動モータ９２は、図８に示されるように、ハンドユニット１４に配置された充電式電池８４に接続されてもよい。或いは、回転可能なブラシ９０を駆動するために構成された電動モータ９２に電流を提供するために、床ノズルに独立した充電式電池が設けられてもよい。
【００８３】
床ノズルは、たとえば、ＬＥＤなどの光源９４を備えてもよい。よって、真空掃除されている表面を照らすことができる。たとえば、狭い水平空間では、光源９４は、真空掃除機のユーザが塵及び屑を見ることができることを保証することができる。
【００８４】
真空掃除機は、少なくともモータファンユニット３２を制御するための制御ユニット９６を備えてもよい。より詳細には、制御ユニット９６は、モータファンユニット３２の電動モータ８２を制御するために構成されてもよい。このような制御は、電動モータ８２のスイッチのオンオフを含んでもよく、任意選択的に、電動モータ８２の速度制御を含んでもよい。制御ユニット９６を介して、少し例を挙げるだけでも、回転可能なブラシ９０を駆動するために構成された電動モータ９２、光源９４、さらに充電式電池８４の充電などの、真空掃除機の他の構成要素も制御してもよい。
【００８５】
ハンドユニット１４は、モータファンユニット３２を制御するための制御ユニット９６を備えてもよく、制御ユニット９６は、回転可能なブラシ９０を駆動するための電動モータ９２及び／又は床ノズルに配置された光源９４を制御するためにさらに構成される。
【００８６】
最も単純な形態において、制御ユニット９６は、１つ又は複数のスイッチを備えてもよい。しかしながら、制御ユニット９６は、実質的に任意の適切な種類のプロセッサ回路又はマイクロコンピュータの形態をとってもよい計算ユニットを備えてもよい。制御ユニット９６は、メモリユニットを備えてもよい。計算ユニットは、たとえば、計算ユニットが計算を行うことを可能にするために必要な格納されたプログラムコード及び／又は格納されたデータを計算ユニットに提供するメモリユニットに接続されてもよい。計算ユニットは、計算の部分的な結果又は最終的な結果をメモリユニットに格納するように適合されてもよく、たとえば、電動モータの制御に関連する計算は、８２、９２、充電式電池８４の充電などである。
【００８７】
実施形態によると、ハンドユニット１４は、モータファンユニット３２を制御するための制御ユニット９６を備えてもよい。真空掃除機２は、細長部材のハンドル端部に配置された制御スイッチ９８を備えてもよい。ハンドユニット１４が第１のインタフェースにドッキングされるとき、制御スイッチ９８は制御ユニット９６に電気的に接続されてもよい。よって、真空掃除機２のユーザは、真空掃除機２のハンドル端部から真空掃除機２を制御してもよく、真空掃除機２が第１のインタフェースにドッキングされているとき、真空掃除機２を制御するために、ハンドユニットまで手をのばす必要はない。制御スイッチ９８を介して、少なくともモータファンユニット３２が制御されてもよい。さらに、回転可能なブラシ９０を駆動するために構成された電動モータ９２及び／又は光源９４は、制御スイッチ９８を介して制御されてもよい。制御スイッチ９８は、図６ａにも示されている。
【００８８】
上記はさまざまな例示的な実施形態の説明であり、本発明は添付の特許請求の範囲によってのみ定義されることが理解されるべきである。当業者は、例示的実施形態は修正されてもよく、例示的実施形態のそれぞれの特徴は、本明細書に記載された実施形態以外の実施形態を作成するために、添付の特許請求の範囲に定義された本発明の範囲から逸脱することなく、組み合わされてもよいことを理解するであろう。
【図１ａ】
2021505221.tif 000003
【図１ｂ】
2021505221.tif 000004
【図２ａ】
2021505221.tif 000005
【図２ｂ】
2021505221.tif 000006
【図３ａ】
2021505221.tif 000007
【図３ｂ】
2021505221.tif 000008
【図３ｃ】
2021505221.tif 000009
【図４ａ】
2021505221.tif 000010
【図４ｂ】
2021505221.tif 000011
【図５】
2021505221.tif 000012
【図６ａ】
2021505221.tif 000013
【図６ｂ】
2021505221.tif 000014
【図６ｃ】
2021505221.tif 000015
【図７ａ】
2021505221.tif 000016
【図７ｂ】
2021505221.tif 000017
【図８】
2021505221.tif 000018
【図９】
2021505221.tif 000019
【国際調査報告】
2021505221.tif 000020
2021505221.tif 000021
2021505221.tif 000022